(57)【要約】【目的】本発明は、例えワイヤ類に強い引っ張り力が加わってもワイヤの滑りや抜け外れがなく、しかも構造が簡単で廉価に製造できるのであり、又、ワイヤ類を傷めたり曲げたりすることがないので、ワイヤ類を長期間にわたって使用できる上、ワイヤ類を何度でも使用できたり、更には、例えば、天井吊下げ式蛍光燈等の各種製品を吊り下げた場合にもこれらの製品に簡単に装着できるワイヤ類クランプを提供することを目的とする。【構成】本発明は、クランプ本体２の締結用軸部分５ａに螺装した締結用部材４を螺進させて、ワイヤ押圧部材１０をコイルばね１５で強く押付けることにより、ワイヤ押圧部材１０の端部１０ａをワイヤ挿通孔７内に突出させて、ワイヤ挿通孔７に挿通したワイヤ５０をワイヤ挿通孔７の周面７ａとにより挟み付けて強固に固定できるように構成した。【選択図】    図５
2004150622.tif 000002
【特許請求の範囲】
【請求項１】
軸心に沿って貫通するワイヤ挿通孔と、このワイヤ挿通孔から外周面に貫通する横孔とを有するクランプ本体と、前記ワイヤ挿通孔に挿入又は挿通されたワイヤ類を前記ワイヤ挿通孔の周面に押圧して、所望の締結位置でクランプ本体に固定する固定手段とを備えるワイヤ類クランプであって、
前記固定手段には、前記横孔に挿入され、かつ、この横孔から前記ワイヤ挿通孔に部分的に出没するワイヤ押圧部材と、このワイヤ押圧部材を前記ワイヤ挿通孔に進出する方向に付勢する弾性体と、前記ワイヤ押圧部材を締結位置に牽制する牽制手段とが設けられていることを特徴とするワイヤ類クランプ。
【請求項２】
クランプ本体の外周面には、軸部の軸心方向に進退可能に取付用ナットが螺合される取付用軸部分が設けられている請求項１に記載のワイヤ類クランプ。
【請求項３】
ワイヤ押圧部材には、横孔を横断するピンの周りに回動自在に支持されたカム又は偏芯ギヤ若しくはアーム或いは爪が用いられてなる請求項１又は２に記載のワイヤ類クランプ。
【請求項４】
ワイヤ押圧部材には、クランプ本体の外側から指爪又は爪状の工具が係脱される凹部及び／又は凸部からなる解除操作部が設けられ、この解除操作部に指爪又は爪状の工具を係合して弾性体の弾力に抗してワイヤ押圧部材をワイヤ挿通孔の外側に向かって退出操作可能に構成している請求項１ないし３のいずれか１項に記載のワイヤ類クランプ。
【請求項５】
クランプ本体には、座部と、この座部から当該クランプ本体の軸方向の一方にワイヤ挿通孔と同心状に突設された締結用軸部分とが設けられ、前記横孔はこれら座部と締結用軸部分とにわたって形成され、ワイヤ押圧部材には、締結位置でクランプ本体の外周面又はこれよりもクランプ本体の外側に位置する受部が設けられており、牽制手段には、前記締結用軸部分にその軸心方向に進退可能に支持され、締結位置に位置するワイヤ押圧部材の受部に直接に、又は弾性体を介して当接させる押え部を有する締結用部材と、締結用部材をその押え部が締結位置に位置するクランプ本体の受部に直接に、又は弾性体を介して当接する牽制位置に保持する保持手段が設けられている請求項１ないし５のいずれか１項に記載のワイヤ類クランプ。
【請求項６】
締結用軸部分には、締結用部材をクランプ本体の軸方向に進退可能に螺合するねじ部が設けられ、保持手段が、このねじ部と、このねじ部に対応して締結用部材に形成された合ねじ部とからなる請求項５に記載のワイヤ類クランプ。
【請求項７】
締結用部材及び／又は座部には、工具が係脱される工具係合部が形成されている請求項６に記載のワイヤ類クランプ。
【請求項８】
締結用軸部分には連結用部材がクランプ本体の軸方向に進退可能に支持され、保持手段が、締結用軸部分と締結用部材との一方に形成された凹部と、その他方に支持され、前記凹部に嵌脱させる凸部とを備える位置決め手段とからなる請求項７に記載のワイヤ類クランプ。
【請求項９】
座部を締結用軸部よりも外側に突出させると共に、締結位置に位置するワイヤ押圧部材の受部を締結用軸部側に設けると共に、締結用部材にこの受部に対向する座面を設け、締結用軸部に外装された弾性体をこれら受部と座面との間に介在させている請求項６ないし８のいずれか１項に記載のワイヤ類クランプ。
【請求項１０】
弾性体が圧縮コイルばねからなる請求項１ないし９のいずれか１項に記載のワイヤ類クランプ。
【請求項１１】
弾性体がピンに巻きつけた弦巻ばねからなる請求項３ないし９のいずれか１項に記載のワイヤ類クランプ。
【請求項１２】
ワイヤ押圧部材とワイヤ挿通孔の周面との互いに対向する部分の一方又は両方には、滑り止め用の凹凸が形成されてなる請求項１ないし１１のいずれか１項に記載のワイヤ類クランプ。
【発明の詳細な説明】
【０００１】
【発明の属する技術分野】
本発明は、ワイヤ類を固定するためのワイヤ類クランプ、即ち、屋内及び／又は屋外において、ワイヤ類を張りわたしたり、張りわたされるワイヤ類どうしを継足したり、ワイヤ類を介して天井、壁、支柱、梁、杭などの支持体にテントシート、防災シート、斜光幕、映写幕（スクリーン）、たれ幕、ワイヤフェンスなどの展張材を張設したり、ワイヤ類を介して蛍光灯などの灯具、吊下式黒板、吊下式掲示板、各種装飾品、看板、配管、ペンダントスィッチ等などを前記支持体に吊下げたりするためにワイヤ類を固定するワイヤ類クランプ、特に、簡単な操作で滑りのないワイヤ類の固定ができるようにした安全性が極めて高いワイヤ類クランプに関する。
【０００２】
【従来の技術】
ワイヤを締付けて固定するワイヤクランプとして、例えば、特表２０００−５０５５３５号公報に記載の「ワイヤ等を締付けるための装置」が公知である。
この装置は、器体内に挿通させたワイヤの一端部を、器体の内壁とこの器体内に進退自在に支持されている楔状体とによって挟持し、この楔状体の進退操作を専用のスパナで操作する構造を有するものである。
【０００３】
又、同公報に記載の他の実施例によるものは、前記構造により器体内に通して固定したワイヤの端部を折り返して、この折り返したワイヤの端末を、更に、他の楔状体を用いて締結する構造を有するものである。
【０００４】
【発明が解決しようとする課題】
しかしながら、前記従来技術は、いずれの構造のものも、器体内の構造が複雑で、しかも、締結に専用の小さなスパナを要するなど、使い難く、特に、器体内においてワイヤが通る通路が大きく広がっているため、ワイヤを通し難い構造になっていた。
【０００５】
又、ワイヤ類を一旦折り返して再び挟持する構造のものは、一度この装置を用いてワイヤを締付けた後、この締付けによる固定が不要になって、この装置からワイヤの端末を取り出したときに、ワイヤの端末にクセがついて曲がった状態になる。
【０００６】
このようになると、再び、ワイヤの端末を器体内に通して締付ける必要が生じたときに、このクセのついて曲がった端末を器体内に通すことは極めて困難になり、このため、ワイヤの端末を元の真っ直ぐな形状に戻したり、切り捨てたりする必要があるが、これら作業には手間と無駄を要する。
【０００７】
又、前記構成とは異なるが、楔状体の代りにケース内のワイヤ挿通孔に入れたボールベアリングをばね付勢させてワイヤを固定するワイヤ締付け具も見られるが、この構造のワイヤ締付け具は、ボールベアリングが曲面であるために締付けによる摩擦力が弱く、ワイヤを強く引っ張ったときに、ばね付勢力に抗してボールベアリングが押し戻され、ボールベアリングとワイヤとの間で滑りが生じて、ワイヤが抜け外れることがあった。
【０００８】
本発明者は、前記従来技術によるワイヤ類クランプには、上述した課題を有することから、鋭意検討し、そして、本発明に係るワイヤ類クランプの発明を完成するに至ったものである。
【０００９】
即ち、本発明は、ワイヤを傷めたり、曲げたりすることなく、簡易且つ強固に固定できる上、ワイヤを固定する力によりワイヤが変形しても長期間にわたりワイヤの滑りを防止できるようにしたワイヤ類クランプを提供することを目的とする。
【００１０】
【課題を解決するための手段】
前記目的を達成するために、本発明に係るワイヤ類クランプは、軸心に沿って貫通するワイヤ挿通孔と、このワイヤ挿通孔から外周面に貫通する横孔とを有するクランプ本体と、前記ワイヤ挿通孔に挿通又は挿入されたワイヤ類を前記ワイヤ挿通孔の周面に押圧して、所望の締結位置でクランプ本体に固定する固定手段とを備えるワイヤ類クランプであって、前記固定手段には、前記横孔に挿入され、かつ、この横孔から前記ワイヤ挿通孔に部分的に出没するワイヤ押圧部材と、このワイヤ押圧部材を前記ワイヤ挿通孔に進出する方向に付勢する弾性体と、前記ワイヤ押圧部材を締結位置に牽制する牽制手段とを備えることを特徴とするものである。
【００１１】
本発明において、牽制手段としては、直接にワイヤ押圧部材に当接して当該ワイヤ押圧部材を締結位置に牽制するものと、弾性体を介してワイヤ押圧部材を締結位置に牽制するものとがあり、後者にはワイヤ押圧部材が弾性的に締結位置に牽制されるものと、弾性体がセットされ非弾性的に締結位置に牽制されるものとが含まれる。
【００１２】
牽制手段が直接にワイヤ押圧手段に当接して当該ワイヤ押圧部材を締結位置に牽制される本発明によれば、牽制手段の牽制作用を解除した状態にすると、ワイヤ押圧部材が弾性体の弾力でワイヤ挿通孔に進出付勢され、ワイヤ挿通孔に挿通されたワイヤ類をワイヤ挿通孔に押付ける構造になっているので、ワイヤ類をワイヤ挿通孔にさし込むと、このワイヤ類が弾性体の弾力に抗してワイヤ押圧部材を横孔側に押退けてワイヤ挿通孔の周面とワイヤ押圧部材との間に差し込まれる。
【００１３】
又、牽制手段が弾性体を介してワイヤ押圧部材を締結位置に牽制するように構成された本発明によれば、牽制手段の牽制作用を緩和することにより、ワイヤ押圧部材が弾性体の弾力でワイヤ挿通孔に進出付勢され、ワイヤ挿通孔に挿通されたワイヤ類をワイヤ挿通孔に押付ける構造になるので、ワイヤ類をワイヤ挿通孔に差し込むと、このワイヤ類が弾性体の弾力に抗してワイヤ押圧部材を横孔側に押退けてワイヤ挿通孔の周面とワイヤ押圧部材との間に差し込むことができる。更にこの構成においては、牽制部材の牽制作用を更に緩和して弾性体の付勢作用を解除させることが可能であり、この場合には、ワイヤ類はほとんど抵抗なくワイヤ挿通孔の周面とワイヤ押圧部材との間に差し込まれる。
【００１４】
牽制手段が直接に又は弾性体を介してワイヤ押圧部材を締結位置に牽制する構成において、牽制手段の牽制作用が解除された状態で弾性体の弾力がワイヤ押圧部材に作用している場合には、ワイヤ押圧部材の形状及びこれをクランプ本体に支持する構造によって、ワイヤ類をクランプ本体の軸方向のいずれからでもワイヤ挿通孔の周面とワイヤ押圧部材との間に同じように差込むことができるようにすることができるが、例えば後述するように、ワイヤ押圧部材がワイヤ挿通孔の軸方向に当該ワイヤ押圧部材の回転中心から距離を置いた位置でワイヤ類に当接させることにより、クランプ本体の一方からのワイヤ類の差込みを困難ないし不可能にし、他方からは容易にワイヤ類を差込むことができるようにすることもできる。
【００１５】
なお、牽制手段の牽制作用が解除された状態で弾性体の弾力がワイヤ押圧部材に作用しないように構成する場合には、ワイヤ類をクランプ本体の軸方向のいずれからでもワイヤ挿通孔の周面とワイヤ押圧部材との間に同じように差込むことができる。又、ワイヤ挿通孔の周面とワイヤ押圧部材との間に差込んだワイヤ類の先端部は、クランプ本体の反対側に押出して、更に、その先端側に引出すことができる。なお、ワイヤ挿通孔内にワイヤ類を入れると、ワイヤ類の先端部は前記ワイヤ押圧部材の先端部に接当するが、ワイヤ押圧部材の先端部を斜面に形成して、ワイヤ類がワイヤ押圧部材の先端部とワイヤ挿通孔との間に差込まれ易くすることができる。
【００１６】
牽制手段の牽制作用を解除した状態で弾性体の圧力がワイヤ押圧部材に作用している場合には、ワイヤ挿通孔の周面とワイヤ押圧部材との間に差込まれたワイヤ類は弾性体の弾力でワイヤ挿通孔の周面と押圧部材とに強く挟み付けられ、その摩擦力によりクランプ本体に仮締結される。
【００１７】
ここで、仮締結というのは、ワイヤ類を強く引っ張っても移動させることができない本締結に対して、強く引っ張ることにより弾性体の付勢力に抗してワイヤ類でクランプ本体をワイヤ挿通孔から横孔に退行させて、ワイヤ類をその軸方向に移動させることができることを意味している。
【００１８】
もっとも、例えばワイヤ押圧部材をワイヤ挿通孔の軸方向に当該ワイヤ押圧部材の回転中心から距離を置いた位置でワイヤ類に当接させると、回転中心側からワイヤ類との当接点側へのワイヤ類の引き抜きは容易にできるが、ワイヤ類との当接点側から回転中心側へのワイヤ類の引き抜きはワイヤ押圧部材が突っ張るのでできなくなり、いわば一方向への本締結となる。
【００１９】
牽制手段を作用させると、ワイヤ押圧部材とワイヤ挿通孔の周面とにワイヤ類が強く挟み付けられる締結位置にワイヤ押圧部材が保持されるので、クランプ本体に対してワイヤ類がその軸方向のいずれに対しても固定される結果、ワイヤにその軸方向のいずれの方向に強い引っ張り力が加わってもワイヤ類の滑りがなくなり、ワイヤ類が弛んだり、ワイヤ類クランプから抜けて外れたりすることがなくなり、安全性が極めて高くなるのである。又、ワイヤ押圧部材で押圧されるワイヤ類は経時的に変形して細くなるが、この変形に対しては弾性体が弾性変形してワイヤ押圧部材をワイヤ類に押付けるので、弾性体の弾力が一定以下にならない限りワイヤ類が滑ることはない。
【００２０】
なお、前記牽制手段の作用及びその解除については以下の説明の中で適宜説明することにする。
【００２１】
本発明に係るワイヤ類クランプにおいては、このようにワイヤ挿通孔に通したワイヤ類を挟持してクランプ本体に固定できる作用を有するので、例えば、展張材等を緊張させたワイヤ類で支持するときに、ワイヤ挿通孔に通したワイヤ類を挟持してワイヤ類を緊張させた状態でその端部と展張材やその支持部材とを連結して固定するための連結具として用いたり、又、例えば、天井埋込式の蛍光燈、吊下式黒板、吊下式掲示板、たれ幕、スクリーン、室内の各種装飾品、屋外での看板、配管等などに装着してワイヤ類で吊下げたりする吊下具として用いたり、更に、屋外での看板等などに装着してワイヤ類で吊下げたり或いは支持するために用いられるのであり、特に、その連結や吊下げ更に支持する際において、ワイヤに強い引っ張り力が加わってもワイヤの滑りや抜けや外れがなくなり、安全性が極めて高いのである。
【００２２】
ところで、本発明のワイヤ類クランプにおいて、ワイヤ類とは、細長く延びた部材、即ち、線材を全般的に含むものであり、針金、電線などの意味で一般的にワイヤと呼ばれている金属線材（金属線）の他に、樹脂からなる線材（樹脂線）、各種金属繊維、各種樹脂繊維、各種動物性繊維、各種植物性繊維のうちから選択された１種類又は２種類以上の繊維からなる糸、これら線材及び糸のうちの１種類又は２種類以上のものを縒り合わせた紐、綱、ロープなどが含まれる。又、これらワイヤ、線材、糸、紐、綱、ロープの中には表面を塗料や樹脂でコーティングされたものが含まれ、表面を塗料や樹脂でコーティングされた紐、ワイヤ、ロープの中には塗料や樹脂でコーティングされた線材、糸などを縒り合わせたものが含まれる。
【００２３】
なお、本発明では、記載を簡単にして読み易くするために、これら線材全般を称する場合はワイヤ類とし、一般的にワイヤと呼ばれているものだけに限定する場合にはワイヤ、発明の名称を除く各部の名称については、ワイヤ挿通孔、ワイヤ押圧部材というように、「類」という語句を省いて記載している。
【００２４】
ところで、本発明としてはその形状が特に限定されるものではないが、主として軸状のクランプ本体が挙げられるのであり、又、この軸状とは所定の断面形状がその断面に直角な軸方向に連続する形状を言い、その断面形状が、軸方向に一様であるものと、軸方向の位置により変化するものとが含まれるのであり、この断面形状の変化には形状的変化と寸法的変化とが含まれるのであり、これらの変化にはそれぞれ連続的な変化と、段階的な変化とが含まれる。もちろん、この断面形状は、特に限定されず、円形、楕円形、三角形以上の多角形など任意の形状を採用することができる。
【００２５】
このクランプ本体においては、当該クランプ本体に固定されるワイヤ類を挿通するために、その軸心に沿って貫通するワイヤ挿通孔が形成される。もちろん、このワイヤ挿通孔の径は１本のワイヤ類を挿通できる程度以上であればよい。
【００２６】
又、このクランプ本体には、後述するワイヤ押圧部材が挿入される横孔が形成される。この横孔はワイヤ挿通孔に開放されていればよいが、加工を容易にするために、クランプ本体の外周面からワイヤ挿通孔に貫通させて、クランプ本体の外部にも開放されるように形成することが好ましい。
【００２７】
更に、このクランプ本体には、必要に応じて、クランプ本体を他物に取付るために、取付部、例えばその外周面に該軸部の軸心方向に進退可能に取付用ナットが螺合される取付用軸部分を設けることが好ましい。
【００２８】
この取付用軸部分は、例えば天井吊下げ式蛍光灯の上部ケースに形成された吊下げ用フックの基部などを挿通させて固定するための、開孔に上から差込まれ、上部ケースの下側からこの取付用軸部分に取付ナットを螺合して締付けることにより当該上部ケースに取付けられる。この後、半締結状態、即ち、弾性体によりワイヤ押圧部材がワイヤ挿通孔に押出されているが、弾性体の弾力によりワイヤ押圧部材が横孔側に退行できる状態にしたワイヤ類クランプのワイヤ挿通孔に天井から垂れ下げたワイヤを挿通し、上部ケースが最適の高さになったところで上部ケースを手放すと、ワイヤがワイヤ類クランプに仮締結され、上部ケースは落下することなくその最適に高さに保持される。更にこの後、牽制手段を作用させると、ワイヤがワイヤ類クランプに本締結され、上部ケースをその最適の高さにワイヤで支持することができる。つまり、本発明のワイヤ類クランプは、このようにして、吊下げ形の灯具、装飾品などの吊下げ具としての機能を発揮することになる。
【００２９】
もちろん、取付部はナットが螺合されるねじ軸に限定されるものではなく、例えば取付ボルトが螺合されるねじ穴を備え軸、連結ピンを挿入するピン穴を備える軸などであってもよい。
【００３０】
本発明は、前記作用を得るために、前記ワイヤ挿通孔に挿通されたワイヤ類をクランプ本体に固定する固定手段を備える。この固定手段は、前記ワイヤ挿通孔に挿通されたワイヤ類を前記ワイヤ挿通孔の周面に押圧して、所望の締結位置でクランプ本体に固定するように構成されていればよく、例えば前記横孔に挿入され、かつ、この横孔から前記ワイヤ挿通孔に部分的に出没する「ワイヤ押圧部材」と、このワイヤ押圧部材を前記ワイヤ挿通孔に進出する方向に付勢する「弾性体」と、前記ワイヤ押圧部材を、該ワイヤ押圧部材が前記ワイヤ挿通孔内に挿通したワイヤ類をワイヤ挿通孔の周面に押圧する締結位置に牽制する「牽制手段」とが設けられているものが採用される。
【００３１】
本発明に係るワイヤ押圧部材は、前記横孔に挿入され、かつ、この横孔から前記ワイヤ挿通孔に部分的に出没するように構成されていればよく、例えば横孔を横断するピンの周りに回動自在に支持されたカム又は偏芯ギヤ若しくはアーム或いは爪を用いることができる。又、このワイヤ押圧部材の板厚は、特に限定されないが、局部的な食込みによるワイヤ類の変形や傷害を防止するために、前記ワイヤ挿通孔の径と同等以上であることが好ましい。
【００３２】
本発明において、横孔からワイヤ挿通孔に部分的に出没するとは、ワイヤ挿入孔にワイヤ押圧部材の全体が没することは必要ではなく、横孔側に最も大きく没する時にその一部分がワイヤ挿通孔に突出していてもよい。しかし、クランプ本体に固定できるワイヤ類の径の多様性を高める上では、ワイヤ挿入孔にワイヤ押圧部材の全体が没するように構成されていることが好ましい。
【００３３】
本発明において、カムとはカムの回転中心からその輪郭までの距離が回転角により増減する周面カムのことであり、このカムには輪郭形状が円形の円形偏心カム、楕円カム、楕円偏心カム、卵形カム、三角カムなどの多角形カムなどが含まれる。なお、円形偏心カム、楕円カム、楕円偏心カム、卵形カムなどの中には、その円形、楕円形、卵形などの一部分を切除したもの、例えば弦月形偏心カムなども含まれる。
【００３４】
ワイヤ押圧部材として、カムを用いる場合に、回転中心と輪郭との距離が連続的に変化するカムを用いると、カムの局部的な食込みによりワイヤ類に局部的な変形や傷害が生じることを防止する上で有益である。
【００３５】
又、前記偏心ギアとはギヤの外周円の中心が回転中心からずれている円形ギヤのことであり、ギヤとしては全周歯車であってもよく、又、部分歯車であってもよい。更に、ギヤの形式としては、斜歯歯車であってもよいが、廉価に製造できる平歯車を採用すればよい。もちろん、ギヤの歯形は、特に限定されるものではないが、例えば三角歯形、インボリュート歯形、トロコイド歯形、台形歯形など公知の歯形を採用すればよい。なお、ワイヤ押圧部材として偏心ギヤを用いる場合には、その歯がワイヤ類に食込み易いので、ワイヤ類の滑りを防止する上で有益であり、又、ギヤの山及び谷を後述する解除操作部として活用することができる。
【００３６】
前記アームには片腕アームと両腕アームとが含まれ、この両腕アームには両腕が一直線に並ぶものと、両腕が回転中心で所定の角度で交叉するベルクランクと、両腕の軸が偏倚しているクランクアームが含まれる。前記爪とは先細り形状に形成された片腕アームのことであり、この先細り形状としては先端が丸められたものと、先鋭化したものとが含まれる。
【００３７】
このワイヤ押圧部材には、必要に応じて、固定手段の作用を容易に解除できるようにするために、クランプ本体の外側から指爪又は爪状の工具が係脱される凹部及び／又は凸部からなる解除操作部が設けられ、この解除操作部に指爪又は爪状の工具を係合して弾性体の弾力に抗してワイヤ押圧部材をワイヤ挿通孔の外側に退出操作可能にしてあることが好ましい。
【００３８】
前記弾性体は、ワイヤ押圧部材をワイヤ挿通孔に進出付勢するものであればよく、例えば圧縮ばね、引張りばね、捩りばねなどを用いることができる。これらの中では、構成をコンパクトにできる圧縮ばねや捩りばねが有利であり、圧縮ばねとしては、圧縮コイルばね、皿ばね、筍ばねを用いることが可能であり、この他に、いわゆる、ガススプリングとよばれる空気ばねやゴムなどを用いることも可能である。又、捩りばねとしては捩り棒ばね（トーションバー）や弦巻ばねが用いられる。
【００３９】
この弾性体によりワイヤ押圧部材を付勢するためには、クランプ本体とワイヤ押圧部材との間に直接に弾性体を介在させてもよく、又、後述するように、クランプ本体に支持させた牽制手段とワイヤ押圧部材との間に弾性体を介在させてもよい。
【００４０】
弾性体とクランプ本体との間に弾性体を直接に介在させる場合には、例えば圧縮ばねからなる弾性体を用いるときにはクランプ本体に支持させたワイヤ押圧部材の一部分に受部を設け、この受部にクランプ本体の軸方向に対向させた座面をクランプ本体に設けて、これら受けブレーキスィッチと座面とに弾性体の両端を当接させる。又、この場合に、例えば弦巻ばねからなる弾性体を用いると、ワイヤ押圧部材をクランプ本体に支持するピンに弾性体を巻き、その一端をワイヤ押圧部材に係合あるいは受止めさせ、他端をワイヤ押圧部材に係合あるいは受止めさせる。
【００４１】
クランプ本体に支持させた牽制用部材とワイヤ押圧部材との間に弾性体を介在させる場合には、クランプ本体に支持させたワイヤ押圧部材の一部分に受部を設け、この受部にクランプ本体の軸方向に対向させた座面を締結用部材に設けて、これら受けブレーキスィッチと座面とに弾性体の両端を当接させる。
【００４２】
前記牽制手段は、前記ワイヤ押圧部材が前記ワイヤ挿通孔内に挿通されたワイヤ類をワイヤ挿通孔の周面に押圧する締結位置に牽制する作用を有するように構成されているが、同時に、ワイヤ類をワイヤ挿通孔に挿入ないし挿通するために、この作用を解除できるように構成される必要がある。このため、この牽制手段は、前記ワイヤ押圧部材が前記ワイヤ挿通孔内に挿通されたワイヤ類をワイヤ挿通孔の周面に押圧する締結位置に牽制するもの、即ち、締結用部材と、この締結用部材を締結位置でクランプ本体に保持させ、かつ、必要に応じて締結用部材を締結位置と異なる位置でクランプ本体に支持させたり、クランプ本体から締結用部材を分解したりできる保持手段とを備える必要がある。
【００４３】
具体的には、例えばクランプ本体に、座部と、この座部から当該クランプ本体の軸方向の一方にワイヤ挿通孔と同心状に突設された締結用軸部分とが設けられ、前記横孔はこれら座部と締結用軸部分とにわたって形成され、ワイヤ押圧部材には、締結位置でクランプ本体の外周面又はこれよりもクランプ本体の外側に位置する受部が設けられ、牽制手段には、前記締結用軸部分にその軸心方向に進退可能に支持され、締結位置に位置するワイヤ押圧部材の受部に直接に、又は弾性体を介して当接させる押え部を有する締結用部材と、締結用部材をその押え部が締結位置に位置するクランプ本体の受部に直接に、又は弾性体を介して当接する牽制位置に保持する保持手段が設けられている。
【００４４】
前記締結用部材を締結用軸部分に進退可能に支持させる方法には、締結用部材を締結用軸部分にその軸方向に螺進退可能に支持させる方法と、単に進退可能に支持させる方法とがある。
【００４５】
前者、即ち、締結用部材を螺進退可能に締結用軸部分に支持させる方法を採用する場合には、締結用軸部分には、締結用部材をクランプ本体の軸方向に進退可能に螺合するねじ部が設けられ、保持手段が、このねじ部と、このねじ部に対応して締結用部材に形成された合ねじ部とで構成される。もちろん、このねじ部は雄ねじであっても雌ねじであってもよい。
【００４６】
ここで、例えば締結用軸部材に外嵌される圧縮コイルばねからなる弾性体を用いるときには、固定位置で締結用軸部分から突出するワイヤ押圧部材の部分に受部を設け、この受部にクランプ本体の軸方向に対向させた座面をクランプ本体に設けて、これら受けブレーキスィッチと座面とに弾性体の両端を当接させる構成を採用すると、締結用部材を指又は工具を用いて捩回すことにより前記弾性体を嵌装させている前記締結用軸部材に沿って締結用部材を螺進させて、当該弾性体を前記締結用部材の受部と前記ワイヤ押圧部材の座面とで挟み、この弾性体を圧縮させて前記ワイヤ押圧部材の端部をワイヤ挿通孔内に突入させて、該端部とワイヤ挿通孔の壁面とによってワイヤ類を強く挟み付けてワイヤ類の抜け止めを図ることができるようになる。しかも本発明において、ワイヤ押圧部材の前記弾性体が接当する箇所、即ち、受部は、当該ワイヤ押圧部材がピン支持されている位置よりも該ワイヤ押圧部材がワイヤ挿通孔内のワイヤ類に当接する位置側で前記軸部に近い位置に設定すると、ワイヤ押圧部材の端部にワイヤ類を挟み付ける方向の力を強く加えることができる。
【００４７】
この場合には、保持手段により締結用部材が締結位置に保持されている時に弾性体がセットしていることは必要ではない。言い換えると、締結用部材の締め込む具合によって、弾性体が弾性変形可能な範囲でも十分に強くワイヤ類をワイヤ押圧部材とワイヤ挿通孔の周面との間に挟み込んでクランプ本体に本締結することができるのであり、締結位置を締結用部材のねじ込み具合により無段階的に調整できるので、径の異なる複数種類のワイヤ類をクランプ本体に固定できる点で有益である。
【００４８】
更に、締結用部材を螺進退可能に締結用軸部分に支持させる方法を採用する場合に、必要に応じて、締結用部材及び／又は座部には、工具が係脱される工具係合部が形成されていると、工具を用いたり、この工具係合部を指で掴んだりして容易に締結用部材を締結位置に移動させたり、締結位置から移動させたりすることができるので好ましい。この工具係合部は、例えばスパナなどの工具に対応させて、締結用部材及び座部と同軸の四角軸、六角軸などの角軸、小判形軸などの軸、ナットなどで構成される他、外周面から凹設されたピン孔、その外周面から突設されたピンなどで構成することができる。なお、専ら手作業で締結用部材及び／又は座部（クランプ本体）を捩回すために、その外周面をローレット加工により縞状ないし格子状の浅溝を形成したり、蝶ナットのようにツマミを突設したりしてもよい。
【００４９】
一方、後者、即ち、連結用部材を連結用軸部に単に進退可能に支持させる方法を採用する場合には、締結用部材が締結用軸部分の回りに回転可能に支持される方法と、回転不能に支持される方法とが含まれ、これらの方法では、例えば締結用軸部分と締結用部材との一方に形成された凹部と、その他方に支持され、前記凹部に嵌脱させる凸部とを備える位置決め手段からなる保持手段が採用される。
【００５０】
ところで、前記座部の輪郭形状は、締結用軸部分のそれと同様に形成してもよく、又、締結用軸部分よりも径方向外側に突出する形状に形成してもよい。締結用軸部分よりも外側に突出する座部を形成する場合には、締結用軸部分の全周にわたって座部を突出させても、周方向の一部分に限って突出させてもよい。いずれの場合でも、座部の好適な形状のものとしては、加工を容易にするために、クランプ本体及びワイヤ挿通孔の軸方向の連結用軸部分側の端面がフランジ面（軸方向に直角な平面）にて形成され、更に、取付用軸部分が設けられる場合には、この取付用軸部分側の端面もフランジ面にて形成されることが好適である。もっとも、締結用軸部分と取付用軸部分とは一連に形成することができるのであり、この場合には、これらの軸部分と反対側の座部の端面がフランジ面にて形成されることが好適である。
【００５１】
なお、前記座部は、ワイヤ押圧部材をピンを介して支持するために設けられ、したがって、該座部及び締結用軸部にはワイヤ押圧部材を挿入する横孔が形成される。この横孔は座部の外周面、即ち、クランプ本体の外周面に対しては閉塞されていてもよいが、横孔の加工を容易にするために、開放されていることが好ましいことは前述したとおりである。
【００５２】
又、前記座部は、前記ワイヤ押圧部材を枢支し、更に、弾性体が締結用軸部分に外嵌される場合には、少なくとも横孔の反対側で締結用軸部分よりも外側に突出させて前記弾性体の一端を当接させることができる。このため、この座部の締結用軸部分側の端面がクランプ本体の全周にわたってフランジ面にて形成されていると、前記弾性体の一端を安定した姿勢で当接させることができる。
【００５３】
又、前記座部がクランプ本体の軸方向略中央個所に形成され、該座部から前記軸部の両端に至る外周部、即ち、締結用軸部分及び取付用軸部分にねじ溝が刻設されたワイヤ類ランプに構成すると、例えば、天井埋込型蛍光灯などの吊り下げる製品の天板に当該軸部が挿通する開孔を形成し、この開孔内に取付用軸部分を上方から突入させて、この天板の下方側から取付用軸部分にナットを螺装して当該天板を前記フランジ面とナットの端面とにより挟み付けて固定し、これによって、ワイヤ類クランプを吊り下げる製品に取り付けることができるようになる。
【００５４】
なお、本発明において、ワイヤ類を押圧するワイヤ押圧部材を前記座部に枢支させるピンに例えば弦巻ばねからなる弾性体を巻きつける場合、前記横孔の幅をクランプ本体の軸方向の横孔全長にわたって弦巻ばねの軸方向の長さとワイヤ押圧部材の厚さとを加えた寸法以上に広幅にしてもよいが、クランプ本体の軸方向の一部のみにわたって横孔の片側面又は両側面を幅方向に切欠き、この切欠部に弦巻ばねが収納されるようにしてもよい。
【００５５】
又、ワイヤ押圧部材とワイヤ挿通孔の周面によるワイヤ類の挟み付けは、ワイヤ押圧部材の先端部の面、つまり端面と、これに対向するワイヤ挿通孔の周面とで行なわれる。このため、ワイヤ押圧部材の少なくともワイヤ挿通孔に向けた部分の端面及び／又はこの端面に対向するワイヤ挿通孔の周面部分に滑り止め用の凹凸が形成されたものを用いることが望ましい。この凹凸の具体的な形状としては、例えば、ワイヤ類の軸方向（長手方向）に対して交叉する線状のもの、格子状ないし網目状のもの、ギア形状のもの（ワイヤ類の軸方向に対して交叉する縞状のもの）、格子状のものなどが挙げられる。
【００５６】
【発明の実施の形態】
本発明の目的及び構成は以上の通りであり、次いで、本発明のワイヤ類クランプの具体的な実施の形態を添付図面に沿って詳述するが、本発明はこれらの実施例に限定されるものではない。
【００５７】
図１（ａ）は、本発明の一実施例に係るワイヤ類クランプの正面図であり、図１（ｂ）は、その側面図である。又、図２（ａ）は、その横断平面図であり、図２（ｂ）は、その平面図である。更に、図２（ｃ）は、図１（ｂ）におけるＡ−Ａ断面を拡大して示す横断平面図である。
【００５８】
これら各図に示す本発明の一実施例に係るワイヤ類クランプ１は、クランプ本体２と、このクランプ本体２に挿通されたワイヤをクランプ本体２に固定する固定手段１６と、必要に応じて、このクランプ本体２を所望の各所に取り付けるために用いる六角ナットからなる取付用部材３とを備え、前記固定手段１６は、ワイヤ類を締結する際に用いる六角ナットからなる締結用部材４と、ワイヤ押圧部材１０と、この場合、コイルばねからなる弾性体（以下、コイルばねという。）１５と、保持手段１７とによって構成されている。
【００５９】
前記クランプ本体２は、軸状（ここでは、縦軸状）に形成され、その軸心に沿ってワイヤ又は１本の線材などからなるワイヤ類が挿通し得るワイヤ挿通孔７が貫通して設けられ、該クランプ本体２の軸方向の略中央外周にフランジ面を有する座部９が設けられている。この座部９からクランプ本体２の両端に至る締結用軸部分５ａと取付用軸部分５ｂには、その外周面に雄ねじからなるねじ部６，６が形成され、前記座部９と締結用軸部分５ａ及び取付用軸部分にわたってこれらの外周面から前記ワイヤ挿通孔７に貫通する横孔１２が形成され、この横孔１２に楕円偏心カムからなるワイヤ押圧部材１０が挿入され、このワイヤ押圧部材１０はピン１３を中心に回動自在に座部９に支持されている。
【００６０】
図２（ａ）及び図２（ｂ）に示すように、このワイヤ押圧部材１０は、その基端部が、座部９の一部分からなる前記横孔１２の両側の壁部９ｂ、９ｃに差込まれたピン１３を介して、その先端部１０ａが前記座部９から前記ワイヤ挿通孔７内に出没し、図３に示すように、前記ワイヤ挿通孔７内に挿通されたワイヤ類５０に締結用軸部分５ａ側で当接するように座部９に支持されている。又、図１（ａ）、図２（ｂ）に示すように、このワイヤ押圧部材１０の周面は全周にわたって、例えばローレット加工により周方向に波打つ三角波状の凹凸面に形成されている。
【００６１】
図３（ａ）は、組立てられた前記ワイヤ類クランプの正面図であり、図３（ｂ）は、その側面図である。
【００６２】
図１ないし図３に示すように、ワイヤ類クランプ１の締結用軸部分５ａにはコイルばね１５が嵌装され、更に、その後から締結用部材４が螺装された状態に組み付けられている。即ち、ワイヤ押圧部材１０のクランプ本体２から突出する部分の締結用部材４側には、コイルばね１５を受ける受部１０ｂが設けられ、締結用部材４には、この受部１０ｂに対向する端面からなる座面４ａが設けられ、コイルばね１５の他端がこの座面４ａに受止められるように構成されている。
【００６３】
図３に示す状態では、コイルばね１５は締結用部材４とワイヤ押圧部材１０との間に挟まれているが、自然な広がった状態のままである。このため、矢印ア方向からワイヤ挿通孔７内に挿通されたワイヤ５０にはワイヤ押圧部材１０による押圧力が加わっていないため、ワイヤ５０はワイヤ類クランプ１に対してその軸方向のいずれにも進退自在な状態にある。
【００６４】
図４（ａ）は、半締結状態における前記ワイヤ類クランプの正面図であり、図４（ｂ）は、その側面図である。又、図５（ａ）は、締結状態における前記ワイヤ類クランプの縦断図であり、図５（ｂ）は、図４（ｂ）におけるＢ−Ｂ断面を拡大して示す横断平面図である。
【００６５】
これら図４と図５とに示すように、スパナなどの工具を用いて、コイルばね１５の圧縮が尽きるまで締結用部材４を座部９に近づく方向に螺進させると、圧縮されたコイルばね１５の弾性が働いてワイヤ押圧部材１０が強く押されて、ワイヤ挿通孔７内に挿通したワイヤ押圧部材１０の先端部１０ａとワイヤ挿通孔７の周面７ａとによって、ワイヤ５０が強く挟み付けられて、ワイヤ類クランプ１に強固に固定（締結）された状態になる。
【００６６】
ところで、本実施例のワイヤ類クランプ１においては、前記締結用軸部分５ａのねじ部６には、常に六角ナットからなる締結用部材４が螺装された状態にしてある。
【００６７】
この状態において、図３に示すように、前記丸軸部５のワイヤ挿通孔７内に、前記軸部５ｂと反対側の軸部分５ａからワイヤ５０の端部を通す作業を行なうと、前記ワイヤ押圧部材１０の先端部１０ａがワイヤ５０で押圧されて横孔１２側に後退し、これにより、ワイヤ５０を更にワイヤ挿通孔７内に進めることができる。
【００６８】
このようにして、図４に示すように、ワイヤ５０の端末を所望の長さまでワイヤ挿通孔７内に押し進め、必要に応じて、ワイヤ挿通孔７の反対側に引出した後、前記締結用部材４を螺進させて、この締結用部材４でコイルばね１５を介して前記ワイヤ押圧部材１０の端部１０ａをワイヤ５０に強く押し付けてワイヤ押圧部材１０の先端部１０ａをワイヤ挿通孔７側に回動させ、更に、図５に示すように、締結用部材４を締め込んで、ワイヤ押圧部材１０の先端部１０ａをワイヤ５０に食い込ませ、このワイヤ押圧部材１０の先端部１０ａでワイヤ５０を更に強くワイヤ挿通孔７の周面７ａに押し付けるようにする。
【００６９】
ここで、締結用部材４は、締結用軸部分５ａのねじ部６とこれに対応して締結用部材４に形成された合ねじ部４ｂ（図５に示す。）とにより、ワイヤ押圧部材１０がワイヤ５０を固定する締結位置に保持されることになるので、このねじ部６と合ねじ部４ｂとにより締結用部材４を締結位置に保持する前記保持手段１７が構成される。
【００７０】
このように構成すると、ワイヤ５０は、前記ワイヤ押圧部材１０の先端部１０ａとワイヤ挿通孔７の周面７ａとの間で強く挟み付けられるようにして締結されるのであり、このワイヤ５０を挿入方向と反対方向に強く引戻しても、ワイヤ押圧部材１０が突っ張って抜けなくなる。ここで、ワイヤ５０はワイヤ押圧部材１０が強く押付けられることにより経時的に弾性変化するが、この経時的なワイヤ５０の変形に対してワイヤ押圧部材１０を押圧するコイルばね１５の弾性変形によりワイヤ押圧部材１０が一定以上の圧力でワイヤ５０に押付けられている限り、ワイヤ５０をクランプ本体２に固定する効果が衰えることはない。
【００７１】
しかも、この実施例においては、図１（ａ）、図２（ｂ）、図３（ａ）、図４（ａ）に示すように、ワイヤ押圧部材１０の全周面にローレート加工による凹凸が形成されているので、ワイヤ押圧部材１０の先端部１０ａがワイヤ５０に食い込み、このワイヤ５０を挿通方向と反対方向に強く引っ張っても、滑り抜けたりしない効果が一層高められているのである。
【００７２】
図６は、本発明の他の実施例にかかるワイヤ類クランプの半締結状態における縦断正面図であり、この図６に示すように、この実施例に係るワイヤ類クランプ１は軸状に形成されたクランプ本体２を備え、このクランプ本体２にはその軸心を貫通するワイヤ挿通孔７と、このワイヤ挿通孔７の軸方向中央部には、クランプ本体２の外周面からワイヤ挿通孔７に貫通する横孔１２とが形成されている。
【００７３】
又、クランプ本体２の軸方向中央部には座部９が設定され、この座部９の軸方向片側（図上、上側）に連設された締結用軸部分５ａと座部９とは、一体の、軸方向に直角な断面の輪郭が一様な中空正六角軸を構成している。更に、座部９の締結用軸部分５ａと反対側に連設された取付用軸部分５ｂは、座部９及び締結用軸部分５ａよりも小径の丸軸からなり、その外周に雄ねじからなるねじ部６が形成されている。
【００７４】
クランプ本体２の軸心を貫通するワイヤ挿通孔７のうち、締結用軸部分５ａから座部９にわたる部分は雌ねじからなるねじ部６が形成されたねじ孔になっている。このねじ孔には、このねじ部６に螺合されるボルトからなる締結用部材４が螺合され、この締結用部材４にはその軸心を貫通するワイヤ挿通孔１４が形成されている。
【００７５】
このワイヤ挿通孔１４とクランプ本体２のワイヤ挿通孔７とに挿通されたワイヤ５０をクランプ本体２に固定する固定手段１６は、前記横孔１２に挿入されるワイヤ押圧部材１０と、このワイヤ押圧部材１０をワイヤ挿通孔７に進出付勢するコイルばね１５と、前記締結用部材４と、この締結用部材４を締結位置に保持する保持手段１７とで構成される。
【００７６】
ワイヤ押圧部材１０は、角を丸められた三角カムからなり、自然状態では、図６に破線で示すように、その中間部がワイヤ挿通孔７の周面７ａに受止められる位置に位置し、図上、下側からワイヤ挿通孔７に差込まれたワイヤ５０の先端はワイヤ押圧部材１０の先端部１０ａを押し上げてワイヤ押圧部材１０とワイヤ挿通孔７の周面７ａとの間に差込まれる。なお、締結用部材４のワイヤ挿通孔１４からワイヤ５０を差込むと、ワイヤ挿通孔７の周面７ａに受止められているワイヤ押圧部材４にワイヤ５０の先端が牽制されるので、この方向にワイヤ５０をクランプ本体２に挿通することはできないのである。
【００７７】
図６に２点鎖線で示すように、このワイヤ押圧部材１０は、その先端部１０ａが横孔１２の上縁に当接する位置以上には押し上げることができないので、その先端部１０ａが横孔１２の上縁に当接する位置におけるワイヤ押圧部材１０とワイヤ挿通孔７の周面との間隔よりも太いワイヤ５０はこのワイヤ類クランプ１では扱えない。このワイヤ類クランプ１で最も理想的に固定できるワイヤ５０は、ワイヤ挿通孔７の半径と等しい径を有するワイヤ５０であり、この径のワイヤ５０を挿通すると、上向きの差込みは容易に行えるが、このワイヤ５０の下向きの引き抜きはワイヤ押圧部材１０が弾性体１０に付勢されてワイヤ５０をワイヤ挿通孔７の周面７ａに支えるので不可能になる。
【００７８】
図７は締結状態におけるこのワイヤ類クランプ１の縦断側面図であり、この図７に示すように、締結用部材４をコイルばね１５がセットするまで締め込むと、ワイヤ押圧部材１０が、その先端部１０ａがワイヤ５０に当接する締結位置にコイルばね１５を介して締結用部材４により牽制され、これにより、牽制状態が保持される。即ち、締結用部材４は、締結用軸部分５ａに形成されたねじ部６と、これに対応して締結用部材４の脚部外周面に形成された雄ねじ４ｂからなる合ねじ部で構成された保持手段１７により締結位置に保持されるのである。
【００７９】
ワイヤ５０の径がワイヤ挿通孔７の半径よりも小さい場合には、ワイヤ５０の下方への引き抜きを防止するために、締結用部材４を更に締め込んでもよいが、締結用部材１０を締め込まずに、コイルばね１５が伸長することにより、ワイヤ押圧部材１０とワイヤ挿通孔７の周面７ａとの間にワイヤ５０を強力に挟み込み、これにより、ワイヤ押圧部材１０を締結位置、即ち、ワイヤ挿通孔７の周面７ａに受止められているワイヤ５０を所定値以上の圧力でワイヤ挿通孔７の周面７ａに押付ける位置に牽制することができる。
【００８０】
この実施例のその他の構成、作用ないし効果は前例のそれらと同様である。
【００８１】
図８は、本発明の又他の実施例に係るワイヤ類クランプの縦断側面図であり、図９は図８のＣ−Ｃ断面を拡大して示す横断平面図であり、図８及び図９に示すように、この実施例ではクランプ本体２が、座部９とその軸方向両側に互い同軸状に対向するように連設された２つの締結用軸部分５ａとからなり、これらの座部９とその両側の締結用軸部分５ａとは、一体の、軸方向に直角な断面の輪郭が一様な中空六角軸に形成されている。クランプ本体２の軸心を貫通するワイヤ挿通孔７のうち、各締結用軸部分５ａに対応する部分は雌ねじからなるねじ部６が形成されたねじ孔になっている。
【００８２】
前記各締結用軸部分５ａには、それぞれその軸心を貫通するワイヤ挿通孔１４を有する六角ボルトからなる締結用部材４が螺合され、クランプ本体２には、互いに周方向に１８０°の角度を置いて、座部９の略中央からその片側の締結用軸部分５ａにわたって横孔１２が形成されている。各横孔１２にはそれぞれ前例と同様に角を丸めた三角カムからなるワイヤ押圧部材１０が挿入され、座部９の中央寄りの部分に、ピン１３を介して、該横孔１２に挿入されたワイヤ押圧部材１０の基端部が回転自在に枢支されている。これにより、各ワイヤ押圧部材１０の先端部１０ａが対応するピン１３よりも締結用軸部分５ａ側でワイヤ挿通孔７に挿通されたワイヤ５０に当接するようにしている。
【００８３】
図９は、図８におけるＣ−Ｃ横断面を拡大して示す横断平面図であり、この図９に示すように、各ワイヤ押圧部材１０はその板厚方向に互いに重複しないように偏倚させてあり、これにより、クランプ本体２の下側から挿入されたワイヤ５０と上側から挿入されたワイヤ５０が一方のワイヤ押圧部材１０を避けて他方のワイヤ押圧部材１０とワイヤ挿通孔７の周面７ａとの間に差込まれるようにしている。
【００８４】
図８に示すように、各ワイヤ押圧部材１０をワイヤ挿通孔７に進出付勢するコイルばね１５は、当該ワイヤ押圧部材１０の先端部１０ａ側のねじ孔に挿入され、一端をワイヤ押圧部材１０の該ねじ孔に突出する部分に形成した受部１０ｂに、他端を該ねじ孔にねじ込んだ締結用部材４のこの受部１０ｂに対向する部分、即ち、周縁部に形成した座面４ａに当接させる。
【００８５】
この実施例によれば、ワイヤ５０を一方から差込むと、その手前側のワイヤ押圧部材１０にはワイヤ５０の先端が支えるので、この手前側のワイヤ押圧部材１０とワイヤ挿通孔７の周面７ａとの間にワイヤ５０が挟み込まれる気遣いはない。ワイヤ５０を差込んだ側と反対側のワイヤ押圧部材１０は、ワイヤ５０の先端に押されて横孔１２側に退行し、このワイヤ押圧部材１０とワイヤ挿通孔７の周面７ａとの間にワイヤ５０が差込まれる。
【００８６】
その結果、２本のワイヤ５０を互いに反対方向から締結用部材４のワイヤ挿通孔１４に差込んで、それぞれコイルばね１５の圧力で差込み方向には移動可能に、その反対の引き抜き方向には移動不能にクランプ本体２に仮締結することができ、２本のワイヤ５０を継足す連結具としてワイヤ類クランプ１を機能させることができる。
【００８７】
この実施例のその他の構成、作用ないし効果は前記各実施例のそれらと同様である。
【００８８】
図１０は、本発明の更に他の実施例に係るワイヤ類クランプの縦断側面図であり、この図１０に示すように、この実施例ではワイヤ押圧部材１０が周面に例えばセレーション加工により歯を形成した偏心ギヤで構成され、ピン１３の巻きつけた弦巻ばね（捩りコイルばね）１８からなる弾性体でワイヤ押圧部材１０が付勢される。
【００８９】
前記横孔１２の片側の壁部には、座部９からピン１３の軸方向に段付き状に凹入させた切欠部２０が形成され、この切欠部２０に前記弦巻ばね１８が収納される。この弦巻ばね１８の一端はワイヤ押圧部材１０に係止され、その他端は切欠部２０に係止される。
【００９０】
前記ワイヤ押圧部材１０は、当該ワイヤ押圧部材１０の外周円１０ｃの中心１０ｄがピン１３の中心から偏心しているものであり、又、その一部分を削除した形状に形成されている。更に、このワイヤ押圧部材１０の外周に形成された歯１０ｅは、自然状態でその先端部から締結用軸部分５ａ側に当該締結用軸部分５ａの径方向外側に突出する部分にわたる部分まで形成してあり、この締結用軸部分５ａの径方向外側に突出する部分に形成された歯１０ｃの山と谷は、指の爪あるいはドライバなどの工具を係合してワイヤ押圧部材１０をワイヤ挿通孔７から横孔１２の方向に移動させる解除操作部１９を構成している。
【００９１】
この図１０は、弦巻ばね１８が自然状態にある時の状態を示し、この自然状態では、ワイヤ押圧部材１０の外周円１０ｃの中心１０ｄは、ピン１３よりも締結用軸部分５ａ側に偏倚している。
【００９２】
この状態から例えばワイヤ５０を取付用軸部分５ｂ側から差込んでワイヤ押圧部材１０に図上、反時計回り方向の回転力を与えると、ワイヤ押圧部材１０が反時計回り方向に回転して、弦巻ばね１８に締結用軸部分５ａ側でワイヤ押圧部材１０をワイヤ挿通孔７に進出させる付勢力（進出付勢力）が生じ、ワイヤ押圧部材１０とワイヤ挿通孔７の周面７ａとの間に差込まれたワイヤ５０を弦巻ばね１８でワイヤ押圧部材１０を介してワイヤ挿通孔７の周面７ａに押圧する。そして、この押圧により、ワイヤ５０とワイヤ押圧部材１０とワイヤ挿通孔７の周面７ａとで強力に挟み込むことにより、ワイヤ５０がクランプ本体２に仮締結される。
【００９３】
又、例えばワイヤ５０を締結用軸部分５ａ側から差込んでワイヤ押圧部材１０に時計回り方向の回転力を加えると、ワイヤ押圧部材１０が時計回り方向に回転して、その先端部１０ａがワイヤ挿通孔７の周面７ａに当接して牽制されるようにしている。
【００９４】
もっとも、ワイヤ押圧部材１０の外周円１０ｃの径を、ワイヤ押圧部材１０の中心１０ｄが最もクランプ本体２の軸心側に移動した時に、ワイヤ押圧部材１０の外周円１０ｃがワイヤ挿通孔７の周面７ａに接する大きさよりも小さくする場合には、例えばワイヤ５０を締結用軸部分５ａ側から差込んでワイヤ押圧部材１０に時計回り方向の回転力を加えると、ワイヤ押圧部材１０が時計回り方向に回転して、取付用軸部分５ｂ側でワイヤ押圧部材１０をワイヤ挿通孔７に進出させる逆方向の付勢付勢力が生じ、この付勢力により、ワイヤ押圧部材１０とワイヤ挿通孔７の周面７ａとの間に差込まれたワイヤ５０を弦巻ばね１８でワイヤ押圧部材１０を介してワイヤ挿通孔７の周面７ａに押圧する。そして、この押圧により、ワイヤ５０とワイヤ押圧部材１０とワイヤ挿通孔７の周面７ａとで強力に挟み込むことにより、ワイヤ５０がクランプ本体２に仮締結される。
【００９５】
ワイヤ押圧部材１０が自然状態から反時計回り方向に回転し、このワイヤ押圧部材１０とワイヤ挿通孔７の周面７ａとでワイヤ５０を挟み込んだ状態で、締結用軸部分５ａに螺合した締結用部材４をワイヤ押圧部材１０に当接するまで座部９側に螺締すると、この締結部材４によりワイヤ押圧部材１０が締結位置に牽制されるので、ワイヤ押圧部材１０が締結位置に保持される。
【００９６】
締結用軸部分５ａ側から差込まれたワイヤ５０をその方向に引戻そうとすれば、ワイヤ押圧部材１０が支えるが、この時に歯１０ｃがワイヤ５０に食い込むことにより、ワイヤ５０の引き抜きが確実に防止され、ワイヤ５０のクランプ本体２に対する滑りや抜け防止の確実性が高められることを除けば、この実施例のその他の構成、作用ないし効果は、前記本発明の一実施例のそれらと同様である。
【００９７】
図１１は、本発明の又更に他の実施例に係るワイヤ類クランプの縦断側面図であり、この図１１に示すように、この実施例では、座部９と締結用軸部分５ａとが一体の、軸方向に直角な断面が一様な六角軸を構成し、締結用軸部分５ａに雌ねじからなるねじ部６が形成されている。又、締結用部材４は本発明の又他の実施例と同様にその軸心を貫通するワイヤ挿通孔１４を有する六角ボルトで構成されている。ワイヤ押圧部材１０としては、偏心円形カムが用いられ、弾性体としては、本発明の更に他の実施例と同様に弦巻ばね１８が用いられる。
【００９８】
このワイヤ押圧部材１０は、その中心１０ｄが、ピン１３よりも締結用軸部分５ａ側に位置する状態で、その先端部１０ａがワイヤ挿通孔７の周面７ａに当接する円形に形成されているが、このワイヤ押圧部材１０がワイヤ挿通孔７の周面７ａに当接する時に弦巻ばね１８の付勢力がワイヤ押圧部材１０に作用している必要はない。
【００９９】
このように、ワイヤに当接するワイヤ押圧部材１０の先端部１０ａが滑らかに連続する曲面に形成されている場合には、ワイヤが弾性変形する範囲内で先端部１０ａをワイヤに食い込ませてもワイヤが塑性変形したり、傷害されたりすることはないので、弦巻ばね１６の付勢力を適当に設計することにより、ワイヤを変形させたり、傷付けたりすることなく、ワイヤ押圧部材１０をワイヤに食い込ませることによりワイヤを確実にクランプ本体２に固定できる。
【０１００】
又、このワイヤ押圧部材１０の外周面には、クランプ本体２の外側から操作できる例えばスプリングピンからなる解除操作部１９が植設され、これに指爪やドライバなどの工具を引っ掛けて、弦巻ばね１８に抗してワイヤ押圧部材１０をワイヤ挿通孔７から横孔１２側に移動させることにより、ワイヤの固定を解除することができる。
【０１０１】
ワイヤをクランプ本体２に固定した状態で、締結用部材４を座部９側に締め込み、ワイヤ押圧部材１０に形成された受部１０ｄに締結用部材４の座部９側端面からなる座面を当接させると、ワイヤ押圧部材１０は、その先端部１０ａとワイヤ挿通孔７の周面７ａとでワイヤを挟み付ける締結位置に固定される。なお、この状態から締結用部材４が螺緩することを防止する螺緩防止手段を設けることが好ましく、この螺緩防止手段としては、例えばねじ部６と締結用部材４とのねじの隙間に挿入されるフィルム、締結用軸部分５ａに螺合される止めナット（Ｗナット）などを用いればよく、この他に螺緩防止機能を有する締結用部材４を用いてもよい。
【０１０２】
この実施例のその他の構成、作用ないし効果は前記本発明の１実施例のそれらと同様である。
【０１０３】
図１２は、本発明の更に他の実施例に係るワイヤ類クランプの縦断側面図であり、この図１２に示すように、この実施例では、丸軸状の締結用軸部分５ａにその軸方向に摺動可能に被せたキャップ状の締結用部材４が用いられ、締結用軸部分５ａの全周にわたって形成された保持用凹溝１７ａと、締結用軸部分５ａの内周面の全周にわたって連続して（又は部分的に）形成された凸部１７ｂとからなる保持手段１７が設けられている。締結用部材４には、ワイヤ挿通孔１４と、必要に応じて、その座部９側の端面から適当な長さにわたって少なくとも１条の摺割り４ｃが設けられる。
【０１０４】
又、締結用軸部分５ａには、前記保持用凹溝１７ａよりも軸端側にこの保持用凹溝１７ａと同様の仮保持用凹溝１７ｃが形成され、前記凸部１７ｂを選択的にこれらの凹溝１７ａ、１７ｃに噛み合せることにより締結用部材４をその端面からなる座面４ａがワイヤ押圧部材１０の受部１０ｂに当接する保持位置と、座面４ａが受部１０ｂから離隔する解除位置とに位置決めされるように構成している。
【０１０５】
即ち、この実施例の保持手段１７は、前記保持用凹溝１７ａと凸部１７ｂとで構成され、締結用部材４をその凸部１７ｂが保持用凹溝１７ａに噛合う締結位置に位置させることにより、ワイヤ押圧部材１０がワイヤ挿通孔７側から一定以上横孔１２側に退行しないようにすることができる。
【０１０６】
なお、このワイヤ類クランプ１では、締結用部材４によりワイヤ押圧部材１０が牽制される位置が一定になるので、締結状態にできるワイヤの径も弦巻ばね１８の付勢力が一定以上になる範囲に限定される。又、保持用凹溝１７ａと凸部１７ｂとの一方を締結用軸部分５ａの軸方向に複数段に設けると、ワイヤの径に対応して選択された段で保持用凹溝１７ａと凸部１７ｂとを噛合わせることにより、適宜選択された径のワイヤに対して最適の締結位置を設定できる。
【０１０７】
この実施例のその他の構成、作用ないし効果は前記本発明の更に他の実施例のそれらと同様である。
【０１０８】
【発明の効果】
以上説明したように、本発明によれば、軸部に形成されたワイヤ挿通孔に挿通したワイヤ類を、弾性体でワイヤ押圧部材を介してワイヤ挿通孔の周面に押付けることにより、クランプ本体に仮締結することができ、又、仮締結されたワイヤをその軸方向の一方又は両方の方向に移動させることができる。
【０１０９】
又、本発明においては、締結用軸部分に支持させた締結用部材を直接に、又は弾性体を介してワイヤ押圧部材に当接する締結位置に保持手段で保持することにより、クランプ本体に仮締結されたワイヤ類を本締結して、例えワイヤ類に強い引っ張り力が加わっても、ワイヤ類の滑りや抜け外れが生じるといった事態を全く無くすることができるなどの効果を奏するのである。
【０１１０】
しかも、本発明においては、ワイヤ類を真っ直ぐに伸ばした状態でその側方から偏芯カムなどからなるワイヤ押圧部材を用いて締結するように構成されているので、ワイヤ類を傷めたり曲げたりすることがなくなり、その結果、ワイヤ類を何度でも使用することができる上、ワイヤ類を長期間にわたって使用できるなどの効果を奏するのである。
【０１１１】
特に、本発明のワイヤ類クランプによれば、ワイヤ類を押圧しているワイヤ押圧部材には圧縮された弾性体の付勢力による強い力が加わっているので、ワイヤ押圧部材によりワイヤ類が弾性変形することがあっても、ワイヤ類がワイヤ押圧部材とワイヤ挿通孔の周面とに挟み付けられる状態を保持できる上、期間の経過によるワイヤ類の滑りをなくすることができる結果、ワイヤ類を張りつめる効果は衰えることがないのである。このため、ワイヤ類クランプとワイヤ押圧部材はいつまでも強固に固定されたままの状態が維持されるのである。
【０１１２】
更に、本発明のワイヤ類クランプによれば、ワイヤ類の締結だけではなく、例えば、天井吊下げ式蛍光燈などの各種製品に装着して、これら製品をワイヤ類で吊り下げることができる構造を有しているので、これら製品をワイヤを用いて簡単に、しかも安全に吊り下げることができるなどの効果も有するのである。
【図面の簡単な説明】
【図１】図１において（ａ）図は、本発明に係るワイヤ類クランプの一実施例を分解して示す正面図である。
図１において（ｂ）図は、その側面図である。
【図２】図２において（ａ）図は、本発明に好適に用いられるクランプ本体の縦断側面図である。
図２において（ｂ）図は、その平面図である。
図２において（ｃ）図は、図１のＡ−Ａ横断面におけるクランプ本体の横断平面図である。
【図３】図３において（ａ）図は、本発明に係るワイヤ類クランプの正面図である。
図３において（ｂ）図は、本発明に係るワイヤ類クランプの側面図である。
【図４】図４において（ａ）図は、仮締結状態における本発明に係るワイヤ類クランプの正面図である。
図４において（ｂ）図は、その側面図である。
【図５】図５において（ａ）図は、締結状態における本発明に係るワイヤ類クランプの縦断側面図である。
図５において（ｂ）図は、図４（ｂ）におけるＢ−Ｂ線断面を拡大して示す横断平面図である。
【図６】図６は、本発明に係る他のワイヤ類クランプの縦断側面図である。
【図７】図７は、その締結状態を示す縦断側面図である。
【図８】図８は、本発明に係る他のワイヤ類クランプの縦断側面図である。
【図９】図９は、図８におけるＣ−Ｃ線断面図である。
【図１０】図１０は、本発明に係る他のワイヤ類クランプの縦断側面図である。
【図１１】図１１は、本発明に係る他のワイヤ類クランプの縦断側面図である。
【図１２】図１２は、本発明に係る他のワイヤ類クランプの縦断側面図である。
【符号の説明】
１        ワイヤ類クランプ
２        クランプ本体
３        取付用部材
４        締結用部材
４ａ      座面
４ｂ      合ねじ
５ａ      締結用軸部分
５ｂ      取付用軸部分
６        ねじ部
７        ワイヤ挿通孔
７ａ      周面
９        座部
１０      ワイヤ押圧部材
１０ａ    端部
１０ｂ    受部
１２      横孔
１５      コイルばね
１８      弦巻ばね
１９      解除操作部
５０      ワイヤ
【図１】
2004150622.tif 000003
【図２】
2004150622.tif 000004
【図３】
2004150622.tif 000005
【図４】
2004150622.tif 000006
【図５】
2004150622.tif 000007
【図６】
2004150622.tif 000008
【図７】
2004150622.tif 000009
【図８】
2004150622.tif 000010
【図９】
2004150622.tif 000011
【図１０】
2004150622.tif 000012
【図１１】
2004150622.tif 000013
【図１２】
2004150622.tif 000014